(57)【特許請求の範囲】
【請求項１】
（ａ）  「オン」状態と「オフ」状態との間で各々が切換可能な画素（Ｍ11〜Ｍmn）のアレイ（１０５，１０７，１０９；１１７）と、
（ｂ）  連続する画像フレームを各々が表現する画像信号が連続したものを与えるための手段（１３５）とを含み、各前記画像信号は複数のビットを各々が含む複数の数を表現し、各数は各画像フレーム内の異なる画素（Ｍ11〜Ｍmn）に対応し、各前記数の各ビットは画素（Ｍ11〜Ｍmn）の１つに対し複数の異なる「オン」時間期間のうちの１つを規定し、したがって各数は各画像フレームにおける画素（Ｍ11〜Ｍmn）のうちの異なる１つに対する総「オン」時間期間を表現し、さらに、
（ｃ）  前記「オン」時間期間に対応する時間期間に対し各画像フレームにおいて各画素（Ｍ11〜Ｍmn）を「オン」に切換えるための手段（１１９）を含み、
前記ディスプレイ装置はさらに、
（ｄ）  前記複数の異なる「オン」時間期間のうち少なくとも１つを、互いから時間的に間隔を置かれる時間間隔の間前記１つの画素（Ｍ11〜Ｍmn）を「オン」に切換えるよう効果的な少なくとも２つのサブ期間に分割するための手段（１３７）をさらに含むことにより特徴付けられる、ディスプレイ装置。
【請求項２】
前記１つの「オン」時間期間は前記「オン」時間期間の最長時間期間（ＭＳＢ）に対応する、請求項１に記載のディスプレイ装置。
【請求項３】
各画像フレーム間隔における他の「オン」時間期間の再オーダ付けを、各画像フレームにおける画素（Ｍ11〜Ｍmn）に対する「オン」時間期間が画素（Ｍ11〜Ｍmn）に対応する数にあるビットのオーダとは異なるシーケンスになるよう行なうための手段（１３７）を含み、前記再オーダ付けは、連続するフレーム間隔における各画素（Ｍ11〜Ｍmn）に対する「オン」時間期間の時間的分布におけるどのような差異も前記「オン」時間期間が再オーダ付けされない場合に生ずるであろう差異よりも小さいように行なわれる、請求項１に記載のディスプレイ装置。
【請求項４】
前記「オン」時間期間を再オーダ付けするための手段（１３７）は連続するフレーム期間間における各画素（Ｍ11〜Ｍmn）に対する総「オン」時間における変化に従って表示フレーム期間内に各「オン」期間を位置決めするよう配される、請求項３に記載のディスプレイ装置。
【請求項５】
アレイ（１０５，１０７，１０９；１１７）を照射し画素（Ｍ11〜Ｍmn）の切換に同期して切換えられることによりグレイスケールを部分的に表示するよう配される変調された光源を含む、請求項１に記載のディスプレイ装置。
【請求項６】
前記異なる「オン」期間は２進シーケンスである、請求項１〜５のいずれか１つに記載のディスプレイ装置。
【請求項７】
画素（Ｍ11〜Ｍmn）のアレイ（１０５，１０７，１０９；１１７）は偏向可能なミラー装置である、請求項１ないし６のいずれか１つに記載のディスプレイ装置。
【請求項８】
前記ディスプレイ装置は並列カラーディスプレイシステムにおいて用いられ、各画素（Ｍ11〜Ｍmn）は１つの色成分の光を発する効果を有する、請求項１ないし７のいずれか１つに記載のディスプレイ装置。
【請求項９】
前記ディスプレイ装置はシーケンス状のカラーディスプレイシステムにおいて用いられ、各画素（Ｍ11〜Ｍmn）は異なる色成分の光をシーケンス状に発する効果を有する、請求項１ないし７のいずれか１つに記載のディスプレイ装置。
【請求項１０】
「オン」状態と「オフ」状態との間で各々が切換可能な画素（Ｍ11〜Ｍmn）のアレイ（１０５，１０７，１０９；１１７）を含むディスプレイ装置をアドレス指定する方法であって、
（ａ）  連続する画像フレームを各々が表現する画像信号が連続したものを与えるステップを含み、各前記画像信号は複数のビットを各々が含む複数の数を表現し、各数は各画像フレーム内の異なる画素（Ｍ11〜Ｍmn）に対応し、各前記数の各ビットは画素（Ｍ11〜Ｍmn）の１つに対し複数の異なる「オン」時間期間のうちの１つを規定し、したがって各数は各画像フレームにおける画素（Ｍ11〜Ｍmn）のうちの異なる１つに対する総「オン」時間期間を表現し、さらに、
（ｂ）  前記「オン」時間期間に対応する時間期間に対し各画像フレームにおいて各画素（Ｍ11〜Ｍmn）を「オン」に切換えるステップを含み、
前記方法は、
（ｃ）  前記複数の異なる「オン」時間期間のうち少なくとも１つを、互いから時間的に間隔を置かれる時間間隔の間前記１つの画素（Ｍ11〜Ｍmn）を「オン」に切換えるよう効果的な少なくとも２つのサブ期間に分割するステップをさらに含むことにより特徴付けられる、ディスプレイ装置をアドレス指定する方法。
【請求項１１】
前記１つの「オン」時間期間は前記「オン」時間期間の最長時間期間（ＭＳＢ）に対応する、請求項１０に記載の方法。
【請求項１２】
各画像フレーム間隔における他の「オン」時間期間の再オーダ付けを行うステップをさらに含み、前記再オーダ付けを行うステップは、各画像フレームにおける画素（Ｍ11〜Ｍmn）に対する「オン」時間期間が画素（Ｍ11〜Ｍmn）に対応する数にあるビットのオーダとは異なるシーケンスになるよう行われ、前記再オーダ付けを行うステップは、連続するフレーム間隔における各画素に対する総「オン」時間期間の時間的分布におけるどのような差異も前記「オン」時間期間が再オーダ付けされない場合に生ずるであろう差異よりも小さいように行なわれる、請求項１０または１１に記載の方法。
【請求項１３】
（ａ）  請求項１ないし９のいずれか１つに記載のディスプレイ装置と、
（ｂ）  前記画素（Ｍ11〜Ｍmn）のアレイ（１０５，１０７，１０９；１１７）を照射するための照射手段とを含むディスプレイシステム。
【請求項１４】
前記ディスプレイ装置が連続する画像フレームを表現したものを投影する効果を有する表示画面をさらに含む、請求項１３に記載のディスプレイシステム。
【請求項１５】
画素のアレイは液晶アレイを含む、請求項１ないし６のいずれか１つに記載の、または、請求項７に従属しない場合に請求項８もしくは９に記載のディスプレイ装置。
【請求項１６】
画素のアレイは液晶アレイを含む、請求項１０ないし１２のいずれか１つに記載のディスプレイ装置をアドレス指定する方法。
【請求項１７】
画素のアレイは液晶アレイを含む、請求項１ないし６のいずれかに従属する場合に請求項１３または１４に記載の、または、請求項７に従属しない場合に請求項８もしくは９に記載のディスプレイシステム。
【請求項１８】
画像信号の連なりはガンマ補正信号を有する入来映像信号から導き出され、ディスプレイ装置またはディスプレイシステムはガンマ補正を取除くための脱ガンマ構成（１３１）を含む、請求項１ないし９のいずれか１つに記載のディスプレイ装置または請求項１３もしくは１４に記載のディスプレイシステム。
【請求項１９】
請求項１０ないし１２のいずれか１つに記載の方法をプロセッサに実行させるためのマシン読取可能命令を伴うコンピュータプログラム製品。
【発明の詳細な説明】
この発明はディスプレイ装置に関する。より特定的にはこの発明は切換え可能な素子のアレイを含むディスプレイ装置に関し、各切換え可能な素子は少なくとも２つの状態の間で切換え可能であり、ディスプレイ装置により表示される画像の形式は各切換え可能な素子がどの状態にあるかに依存する。
このような切換え可能な素子は、光源から表示される画像への光の通過を制御する光変調器の形式をとってもよい。光変調器の例には、たとえば、１９８９年８月の「ＳＰＩＥ会報（the Proceedings of SPIE）」第１１５０巻に発表された、ホーンベック（Hornbeck）による「変形可能な反射鏡空間光変調器（“Deformable Mirror Spatial Light Modulators”）」に記載されるような偏向可能な反射鏡装置が含まれる。このような偏向可能なまたは「変形可能な」反射鏡ディスプレイ装置は偏向可能な反射鏡装置のアレイを含み、各反射鏡装置は制御電極上のねじれ要素上に取付けられる。各反射鏡装置と電極との間に電界を与えることによって反射鏡装置は旋回し、それによって、反射鏡装置から反射される光の方向を変化させる。
光変調器の別の例は液晶装置である。
代替的には、切換え可能な素子のアレイは、たとえば発光ダイオードのアレイのように、自らがオンまたはオフに切換えられ得る光源のアレイの形式をとってもよい。
一般的にはそのようなディスプレイ装置はディジタル装置であり、つまり、装置の各切換え可能な素子は、表示される画像上に「白」または「黒」ピクセルのいずれかを生ずるよう、素子から表示される画像へ通過する光を「オン」または「オフ」に切換えるのに効果的である。しかしながら、素子からの光が表示される画像に到達するような状態に装置の各切換え可能な素子がある時間を制御し、素子からグレースケール画像を知覚する観察者の人の目の統合した応答を用いることによって、グレースケール画像を表示することも可能である。
このような構成の一例は、電圧を加えることが可能な発光装置のＸ−Ｙアレイを組込むディスプレイ装置を開示するＧＢ  ２０１４８２２に記載される。ＧＢ  ２０１４８２２に記載されるディスプレイ装置はたとえば８ビット信号を介する二進のディジタル形式のデータをとり、装置は変調器が「オン」または「オフ」にあってもよい多数の期間の一時点でラインが駆動される。各時間期間中の各ピクセルの「オン」／「オフ」状態は、ディジタル入力データの対応するビットの状態によって決定される。
変形可能な反射鏡装置の形式の光変調器を組込むディスプレイ装置は、同様の態様で作動する。しかしながら、変形可能な反射鏡装置において、ピクセルのアレイ全体は、映像ソースの縦方向走査速度と一致して同時に駆動される。
各表示フレーム期間内の８つの時間期間は異なる長さを有する。任意の特定のフレームに対する入力信号の最下位ビット（ＬＳＢ）に対応する時間期間の長さは所定の値に設定され、最下位ビットの次のものに対応する時間期間の持続期間は最下位ビットに対応するそれの２倍の長さになる、というようになる。したがって、そのような８ビット入力信号に対する最上位ビット（ＭＳＢ）に対応する時間期間の長さは、最下位ビット（ＬＳＢ）に対応するそれの１２８倍である。約２０マイクロ秒の持続期間よりも短い表示フレーム期間内にすべての時間期間が含まれる場合には、人の目は、それらの期間を統合し、二進の信号値に対応する明るさのレベルを有する単一の期間にあたかも応答するように応答する。入力信号の１つのビットに対応する各サブフレーム期間の終わりで、素子を、いくつかのシステムにおいては休止位置に、または次のビット信号により決定される状態に、切換えるために、アレイのすべての素子にリセット信号が与えられる。
グレースケールを少なくとも部分的に表示するために切換素子の時分割多重アドレス指定を用いる、このようなディスプレイシステムは、大型スクリーンプロジェクタで使用される。しかしながら、モーション映像信号を表示するためにこのような大型スクリーンプロジェクタが用いられる場合、ある中間グレー明るさレベルでピクセルがきらめく帯域が形成されることが認められる。さらに、同じ中間グレー明るさレベルの場合、観察者が瞬きをしたり、頭を動かしたり、または目の前でもしくは投影レンズの前で指をちらつかせたりすると、表示される画像は「塊になった」ピクセルに分割し得る。これらの影響は、「動的輪郭化」として時に認められる。
この発明の目的は、これらの問題が多少なりとも解消される切換え可能な素子のアレイを組込むディスプレイシステムを提供することである。
この発明の第１の局面に従うと、光がディスプレイ上に向けられる「オン」状態と、光がディスプレイ上に向けられない「オフ」状態との間で各素子を切換えるために時分割変調処理を用いてグレースケールを少なくとも部分的に表示する、切換え可能な素子のアレイを含むディスプレイシステムが提供され、ディスプレイシステムの各フレーム期間は、各素子からの光の一時的な平衡を増大させるために、各素子が「オン」または「オフ」状態に切換えられる十分な時間間隔に分割される。
この発明はしたがって、「動的輪郭化」として上に定義される影響は時分割多重アドレス指定スキームの操作により低減され得るということを発明者が認めた上でなされている。
したがって、この発明の第２の局面に従うと、切換え可能な、光を向ける素子のアレイを含むディスプレイシステムは、切換え可能な素子の一時的なアドレス指定により引き起こされる悪影響を低減するために、各素子がディスプレイ上に光を向ける時間を修正するための手段を含む。
この発明に従うディスプレイシステムの多数の実施例が、添付の図を参照して、例のみによって説明される。
図１は、公知の形式のディスプレイシステムの概観の概略図である。
図２は、図１のシステムに組込まれる空間光変調器アレイの概略図である。
図３は、図２のアレイにある反射鏡装置の照度を示す。
図４ａ−４ｅは、図１のシステムにおいてグレースケールを達成するための公知の時分割多重アドレススキームの５つの例を示す。
図５は、図１のディスプレイシステムに組込まれるアレイにある２つの隣接する反射鏡装置のための公知の時分割多重アドレススキームの一例を示す。
図６ａ−６ｅは、この発明の実施例に従うディスプレイシステムに用いられる修正された時分割多重アドレススキームの５つの例を示す。
図７は、この発明の実施例に従うディスプレイシステムに用いるためのビット重み分散スキームの第１の例を示す。
図８ａ−８ｄは、先行技術のディスプレイシステムから生じる単一のピクセルからの光出力のコンピュータシミュレーションの一例を示す。
図９ａ−９ｄは、この発明の実施例に従う修正されたディスプレイシステムから生ずる単一のピクセルからの光出力のコンピュータシミュレーションの一例を示す。
図１０は、この発明の実施例に従うディスプレイシステムに用いるためのビット重み分散スキームの第２の例を示す。
図１１は、この発明の実施例に従うディスプレイシステムに用いるためのビット重み分散スキームの第３の例を示す。
図１２は、この発明の実施例に従うディスプレイシステムに用いるためのビット重み分散スキームの第４の例を示す。
図１３は図１２のビット重み分散スキームの修正物を示す。
図１４は、この発明の実施例に従う修正されたアドレス指定システムを実施するよう設計されるディスプレイシステムの一部を示す。
図１５は、図１４の装置に組込まれたシーケンサを示す。
図１６は、図１４の装置に組込まれるフレーム記憶装置の内容を示す。
まず図１を参照すると、説明されるディスプレイシステムの特定例は、ディスプレイスクリーン１０１上にカラー画像を投影するよう構成される。ディスプレイシステムは、たとえばアーク灯のような任意の好適な形式であってもよい光源１０３を含む。光源１０３は、これより説明される３つの平面的な偏向可能な反射鏡装置１０５、１０７、１０９上に光源からの光線が向けられるよう配置される。
光源１０３と第１の偏向可能反射鏡ディスプレイ装置１０５との間の光の経路に位置されるのは、２つのダイクロイックミラー１１１、１１３である。第１のダイクロイックミラー１１１は、第２の平面的な偏向可能な反射鏡ディスプレイ装置１０７上に青色光を反射しかつ他のすべての入射光は透過するよう設計され角度付けられる。第２のダイクロイックミラー１１３は、第３の平面的な偏向可能反射鏡装置１０９上に赤色光を反射しかつ第１の偏向可能反射鏡ディスプレイ装置１０５上に光源１０３からの光の残りの緑色成分を透過するよう設計され角度付けられる。
３つの偏向可能な反射鏡装置１０５、１０７、１０９は、空間的に変調された光線を投影レンズ１１５を介してディスプレイスクリーン１０１上に向けるよう、光源１０３からの光線の３つの色成分を反射することができるよう配置される。
ここでさらに図２および図３を参照すると、各偏向可能な反射鏡装置（ＤＭＤ）１０５、１０７、１０９は、典型的には低解像度ディスプレイシステムでは７６８×５７６個の反射鏡装置、または高解像度ディスプレイシステムでは２０４８×１１５２個の反射鏡装置である、ｍ×ｎ個の偏向可能な反射鏡装置のアレイを含む。各アレイ１１７は、一緒に１２１で示される制御回路から電子カラー映像信号を受信し、たとえば１９９２年１月４日付の本出願人の先の国際特許出願ＰＣＴ／ＧＢ９２／００００２（引用によりここに援用する）に記載される反射鏡装置Ｍ11〜Ｍmnの各々をアドレス指定する、ドライバ回路１１９に接続される。与えられたアドレス信号に依って、各反射鏡装置Ｍは、反射光が第１の経路１２３に向けられる「オン」状態および反射光が第２の経路１２５に向けられる「オフ」状態に対応する２つの異なる位置のうちの１つをとるようにされる。第２の経路１２５は、この方向に沿って反射された光がディスプレイシステムの光軸から逸れ、したがって投影レンズ１１５を通過しないように選ばれる。
したがって、「オン」状態に傾斜される反射鏡装置Ｍは明るくなり、「オフ」状態に傾斜される反射鏡装置Ｍは暗くなって、各ＤＭＤアレイ１１７は２次元イメージを表わすことができる。「オフ」期間に対する「オン」期間の割合を変えることによって、つまり一時的変調技術によって、この後より詳細に説明されるようにグレースケールを達成することができる。
ここで特に図３を参照すると、「オン」状態と「オフ」状態との間で各反射鏡装置Ｍが偏向される角は比較的小さい。したがって、「オン」および「オフ」状態の間において十分な弁別を達成するために、光源１０３からの入射光線１２７は各空間光変調器１０５、１０７、１０９に対し、各装置に対する法線から測定して約２０°の角度で向けられる。
個々の反射鏡装置Ｍがアレイ１１７の面と平行であるとき、入射光線１２７は法線に対し対応する２０°の角で反射し、「オフ」経路１２２に沿って光線ダンプ（図示せず）に入る。ドライバ回路１１９からの制御信号が反射鏡装置Ｍをアレイ１１７の面に対し第１の角度で第１の偏向状態に設定すると、入射光線１２７はさらに「オフ」の経路にある方向１２５に沿って反射されて光線ランプに入る。アドレス指定回路１１９からの制御信号が反射鏡装置Ｍをアレイ１１７の面に対し第２の角度で第２の偏向状態に設定すると、入射光線１２７は「オン」経路１２３に沿ったアレイに対する法線に沿って反射される。
次に図４ａ〜４ｅを参照すると、これらの図は、スクリーン１０１上にグレースケールが表示されるのを可能にする、ＤＭＤアレイ１１７の各反射鏡素子Ｍの時分割多重アドレスシーケンスを示す。単純化のために、図４ａ〜４ｅに図示される例は、５ビット入力映像信号に対応する。したがって、図４ａ〜４ｃは、３１の等しい時間間隔に分割される、特定の反射鏡装置Ｍの時間フレームを表わし、水平方向はしたがって時間軸を表わす。
図４ａは、ディスプレイ装置のフレーム期間の持続期間に対して最大の明るさがディスプレイスクリーン１０１上に表示されるように反射鏡装置Ｍが構成される状態に対応する。したがって、反射鏡装置Ｍは、１６の時間単位（ＭＳＢに対応する）、８つの時間単位、４つの時間単位、２つの時間単位、および最後に１つの時間単位（ＬＳＢに対応する）の持続期間の間「オン」状態に切換えられる。したがって、アレイ１１７のこの特定の反射鏡装置Ｍに対する統合された明るさレベルは３１単位である。
これは、ディスプレイ装置の単一のフレーム期間中においてＭＳＢに対応する時間期間の持続期間の間のみ反射鏡装置Ｍが「オン」状態に切換えられる、図４ｂに図示される状態と対照され得る。したがって、フレーム期間に対する反射鏡装置Ｍの統合された明るさは１６単位である。
同様に図４ｃは、反射鏡装置Ｍが、ＭＳＢに対応する時間間隔の間「オフ」状態に切換えられ、残りのフレーム期間の間は「オン」状態に切換えられる状態を示す。したがって、フレーム期間に対する反射鏡装置Ｍの統合された明るさは１５単位である。
次に図４ｄを参照すると、この図は、１つの反射鏡装置Ｍに対する２つの連続するフレーム期間を示し、ゆえに図４ａ−４ｃとは異なる時間尺度である。この特定例においては、図４ｂに示されるシーケンスの後に図４ｃに示されるシーケンスが続く。したがって、図４ｄに図示される例においては、最初のフレーム期間の後半と２番目のフレーム期間の前半とは両方とも反射鏡装置Ｍの「オフ」状態に対応して暗い。この結果、反射鏡装置Ｍに対応するピクセルに対し、ディスプレイスクリーン１０１上に光が全く現れない１つのフレーム期間の時間間隔が生じる。これは、観測者に認識可能な、ディスプレイスクリーン１０１上の暗い閃光として現れることが発明者には理解されている。
図４ｅに示される状態も単一の反射鏡装置Ｍに対する２つの連続するフレーム期間を図示し、したがって、図４ｄと同じ水平方向の時間尺度ではあるが、逆転されたフレームシーケンスで示される。この特定例においては、ディスプレイスクリーンが連続して照明されるとき、最初のフレーム期間の後半と２番目のフレーム期間の前半とからなる全フレーム期間がある。これは観測者にとってはディスプレイスクリーン１０１上の白色閃光として見えることが発明者には理解されている。
反射鏡装置Ｍへの駆動信号がたとえば映像量子化ノイズのために図４ｄと図４ｅとのビットシーケンスの間で変動すると、ピクセルはノイズと一致してきめらくように見え、これは「動的輪郭化」として公知の現象である。したがって、ある中間グレー明るさレベルでは、図４ｄおよび図４ｅに示されるタイプの状態はスクリーン１０１上の投影された画像にきらめくピクセルを生じさせることが発明者には理解されている。さらに、この映像ノイズは、きらめくピクセルが別の帯域に広がるよう映像入力信号を処理するのに用いられるＡＤ変換器内におけるクリティカルなビットの遷移の量子化時間ジッタを引き起こす。
観察者が瞬きをしたり、頭を動かしたり、または目の前でもしくは投影レンズ１０５の前で指をちらつかせたりすると、図４ｄおよび図４ｅに示される状態は画像の見かけの「動的輪郭化」をさらに生じさせ得る、ということも発明者には理解されている。このことは、２つの隣接する反射鏡装置Ｍ11およびＭ12の各々に対する単一のフレーム時間期間を示す図５を参照するとわかり、水平方向の尺度はしたがって図４ａ〜４ｅのそれとは異なる。最初の反射鏡装置Ｍ11は、ＭＳＢのみが「オン」となり他のビットはすべてオフになるように構成される。２番目の反射鏡装置Ｍ12では、ＭＳＢは「オフ」であり、他のビットはすべて「オン」である。したがって、Ｍ11からの光から形成される画像ピクセルはＭ12からの光から形成される画像ピクセルよりも半フレーム期間前にディスプレイスクリーン１０７に到達することがわかる。
たとえば表示される画像上の動く対象を追って観察者の頭部が動いているかまたは観察者の目がディスプレイスクリーン１０１上に投影される画像を走査すると、反射鏡装置Ｍ11およびＭ12からの光に対応する２つのピクセルは背景に対して、およびゆえに互いに対して動くように見える。これによって、「後で」アドレス指定される反射鏡装置Ｍ12からの光に対応するピクセルは観察者の目の走査方向と反対方向に動くように見え、一方で、先にアドレス指定される反射鏡装置Ｍ11からの光に対応するピクセルは観察者の目の走査方向と同じ方向に動くように見える。したがって、観察者の目の運動方向が反射鏡装置Ｍ11から反射鏡装置Ｍ12への方向である場合、２つのピクセルの見かけの変位によりピクセルは重なるように見え、表示される画像はディスプレイスクリーン１０１上のその点で見かけ上明るくなる。
逆に、観察者の目の運動方向が反対方向、つまり反射鏡装置Ｍ12から反射鏡装置Ｍ11への方向である場合には、２つのピクセルは離れるように見えて、画像はディスプレイスクリーン１０１上の対応する点で見かけ上暗くなる。この影響は、地図上の等高線と非常に似たように、表示される画像の主な遷移に対応するピクセルを追う。これらの輪郭線は滑らかでないため、ピクセルの見かけ上の相対的な運動は、不十分な表示解像度の影響と同様の影響を与える、これらの遷移点での粗いピクセル構造の印象を与える。
したがって、最上位のアクティブビットが「オン」または「オフ」になると、時分割アドレス指定される光変調器で経験されるビット遷移「動的輪郭化」影響は隣接する表示フレーム間または隣接するピクセル間のビットパターンの一時的変位の直接的な結果として生じることが、発明者には理解されている。さらに、観察者の目によってどれほどフィルタリングが導入されようとも、隣接する表示フレーム間の一時的シフトの影響は光出力においては単極性の変動であるため、全体的な外乱エネルギーは低減され得ず、より長い時間間隔にわたって広がるのみである。
ビット遷移によるこの「動的輪郭化」を低減し得る唯一の方法は、クリティカルなビット遷移でビットパターンにおけるそのような一時的シフトを除去するかまたは最小限にするかのいずれかである。これは、時分割多重アドレス指定されるディスプレイシステムの場合、一時的な変位はそれらの動作に固有であるため、完全に達成するのは困難である。しかしながら、（図８および図９を参照して説明されるように）一時的シフトの結果生ずる単極性の外乱が双極性の外乱に変換することができれば、および（図１０、図１１、図１２および図１３を参照して説明されるように）外乱の周波数を最大にし外乱の振幅内容を最小にすることによって、問題は緩和され得る。
次に、表示フリッカおよび「動的輪郭化」の問題を緩和するために一時的シフトの除去または最小化を実現するために設計された、この発明に従うディスプレイシステムに用いられる修正された時分割アドレス指定スキームの例を追う。
ここで図６ａ〜６ｅを見ると、これらの図は、この発明に従うディスプレイ装置に用いられる、図４ａ〜４ｄの先行技術構成に示されるビット重みシーケンスの修正されたバージョンを示す。
図６ａは、１６時間単位のＭＳＢのみが２つの部分サブフレームＭＳＢ１およびＭＳＢ２に分割され、８時間単位の持続期間の各々は１６ａおよび１６ｂとラベル付けされる状態を示す。照度（ＣＯＩ）の中心は表示フレーム期間に対して規定され得、これはフレーム期間の中心で生ずる。このスキームの利益の質的分析は、次いで、機械的システムにおける力学的均衡に類似して、照度の中心についてのさまざまなビット重みのモーメントを考慮することにより得られ得る。ＭＳＢ１およびＭＳＢ２の両方は「オン」または「オフ」のいずれかである特定の反射鏡装置Ｍに対応するので、個々のモーメントは大きさは等しいが符号は逆であることがわかる。したがって、照度のモーメントに対するこれらの２つの部分サブフレーム期間からの寄与はゼロである。８単位の長さである２番目に長いサブフレーム期間は、照度のモーメントに対するその寄与を最小限にするために、フレーム期間の中心にできるだけ接近しかつそれについて対称的に配置される。４、２および１の残りのサブフレームは、７単位（４＋２＋１）、８単位（単一の８サブフィールド）、１５単位（８＋４＋２＋１）、１６単位（１６ａ＋１６ｂ）、２３単位（１６ａ＋１６ｂ＋４＋２＋１）、および２４単位（１６ａ＋１６ｂ＋８）のさまざまな可能な組合せに対してフレームの照度のモーメントにおける変化を最小限にするために、照度の中心についてできるだけ対称的に位置づけられる。
図６ｂは、８単位の２番目の上位ビットのサブフレームがさらに２つの部分８ａおよび８ｂに分割され、各々は４単位の持続期間である。図６ａのスキームの修正物を示す。部分サブフレーム１６ａおよび１６ｂの中心が図６ｂに示されるように半フレーム期間によって分離される場合には、１６単位の中間明るさレベルで、表示フレーム速度での光出力のフリッカ基本周波数成分は除去され、ゆえに、知覚されるいかなる表示フリッカも最小限にされる。
次に図６ｃを見ると、このビット重み分散スキームでは、３つの最上位ビットが等しい部分に各々分割される。したがって、１６単位のサブフレーム、８単位のサブフレーム、および４単位のサブフレームはすべて、部分１６ａおよび１６ｂ、８ａおよび８ｂ、ならびに４ａおよび４ｂにそれぞれ分割される。部分サブフレーム１６ａおよび１６ｂは図６ｂに示されるように既に最適位置を有しているので、４ａおよび４ｂはこれらの部分サブフレームに隣接して表示フレーム期間の中央寄りに置かれる。
次に図６ｄのビット重み分散スキームを見ると、このスキームはＭＳＢが４つの等しい部分サブフレームに分割されるのを図示し、各々は４つの単位持続期間つまり１６ａ、１６ｂ、１６ｃおよび１６ｄである。次の２つの最上位ビットは各々が２つの部分サブフレーム８ａおよび８ｂと４ａおよび４ｂとにそれぞれ等しく分割される。この特定のスキームでは、ＭＳＢ部分サブフレーム１６ａ、１６ｂ、１６ｃおよび１６ｄは、フレーム期間の４分の１で間隔をとられる。これは基本の１６単位のフリッカ成分のみならず第２次高調波も除去する。８単位の明るさレベルでの基本フリッカ成分がさらに除去されるように、部分サブフレーム８ａおよび８ｂは半表示フレーム期間だけ離れて置かれる。これは、フレーム期間の各端部に、部分サブフレーム４ａおよび４ｂが対称的に適合する２つの間隙を残す。
次に図６ｅを見ると、この図は、不均等なビット分割が用いられるビット重み分散スキームを示す。このスキームにおいては、ＭＳＢは３つの部分サブフレーム、つまり５単位持続期間の１６ａと２単位持続期間の１６ｂと９単位持続期間の１６ｃとに分割される。次の上位ビットは、２つの部分サブフレーム、つまり５単位持続期間の８ａと３単位持続期間の８ｂとに分割される。３番目の上位ビットは、各々が２単位である２つの等しい部分サブフレーム４ａおよび４ｂに分割される。この図はしたがって、等しくない持続期間の部分サブフレームの一様でない数にサブフレームが分割されるであろうビット重み分散スキームを示す。しかしながら、図６ｅに示されるアドレススキームは、図６ｄに示されるアドレススキームほどには、照度の中心の十分な制御を与えはしないことがわかる。
次に図７を参照すると、この図は、フリッカの影響が最小限にされるビット重み分散スキームを示す。この図に示されるように、ＭＳＢは８つの等しい部分サブフレームに分割され、次のＭＳＢは４つの等しい部分サブフレームに分割され、次のＭＳＢは２つの等しい部分サブフレームに分割される。したがって、表示フレームが２単位の持続期間の１４の等しい部分サブフレーム（Ａ〜Ｇ）と、２単位持続期間の１サブフレームと、１単位持続期間の１サブフレームとで、前のように合計３１単位になるように分割されるよう、最大部分フレーム持続期間はここでは２単位である。
図７の左手の縦の列は、０単位の最小値と３１単位の最大値との間における単一のフレーム中の表示の明るさの増大するレベルを表わす。部分サブフレームにＸがあればそれは対応する反射鏡装置Ｍはその特定の時間に「オン」状態に切換えられることを示し、Ｘがない場合にはそれは「オフ」状態を示す。ＤＭＤアレイ１１７の反射鏡装置のためのリセットパルスのタイミングも図に示され、反射鏡装置Ｍをそれらの次の配向状態に対して準備するようリセットパルスは２単位ごとに与えられなければならないことが図７から明らかである。
図７に示されるスキームの目的は、フレーム期間中にわたって反射鏡装置Ｍが一様に「オン」である期間を広げることである。しかしながら、３１は素数であるため、この広がりは完全にはなり得ない。０〜３および２８〜３１単位の照度のレベルでは、フレーム期間にわたる照度の均一な広がりは生じないことがわかる。しかしながら、これらの照度レベルでは、外乱レベルは小さく、ゆえに表示アーチファクトははるかに明確ではない。照度レベル４および５、ならびに２６および２７の場合、照度のモーメントはより大きい一方で、基本外乱周波数成分は表示サイクル周波数の第２次高調波に倍増していることがわかる。同様に、他の照度レベルの場合でも、照度のモーメントが増大するにつれ、各照度レベルに対する基本光出力外乱周波数も増大し、これは図７の右手の列の数字によって示される。
図７に示されるビット重み分散スキームの利用によって、映像入力信号とＤＭＤアレイ１１７へのアドレス信号との間における１対１の相関関係はＬＳＢおよび次の下位ビットに対する以外は取除かれていることが理解される。これは、たとえば、必要とされるビット変換を行なうためにＲＯＭを組込む好適なシーケンサの利用によって対処され得る。好適な装置はこの後図１４、図１５および図１６を参照して説明され、図７はＲＯＭをプログラミングするための真理表として効果的に働く。
図７に示されるスキームはディスプレイシステムの単一のフレーム内でビット重み分散の影響により引き起こされるフリッカの影響を低減するために設計されることがわかる。ここで、時分割変調情報は観察者によって連続するストリームとして受信されるため、単一の表示フレーム内でのビット重み分散の影響のみならず、１つの表示フレームから次の表示フレームへの動きの影響も考慮されなければならない。ディスプレイシステムの連続フレーム間の遷移の影響は、観察者の目の統合した影響をシミュレーションするために、時分割変調の直列データストリームでスライドするウィンドウの開口機能を用いてコンピュータシミュレーションにより調べられ得る。ウィンドウはビットシーケンスに沿って移動するので、ウィンドウ内の平均値における変化は観察者により知覚される光出力外乱の尺度である。これは、「動的輪郭化」を生じる外乱に加えて、フリッカおよび他の成分を含む。表示フレーム期間に等しい持続期間の矩形のウィンドウの開口機能を選択することは、目の動きを完全に表現はしないものの、隣接する表示サイクル間の差を考慮するだけで、最大の清澄性でもって「動的輪郭化」外乱をシミュレーションする。
図８および図９は、そのようなスライドするウィンドウの開口機能をＭＳＢおよび次の上位ビットつまりＭＳＢ−１ビット遷移に適用した結果を示す。図８は図４ｄおよび４ｅのビットシーケンスに対する結果を示し、図９はこの発明に従うディスプレイ装置に用いられる修正されたビットシーケンスの結果を示す。図８および図９において、ＭＳＢは「Ｍ」で示され、残りのＬＳＢは「Ｌ」で示され、ＭＳＢ−１は「Ｈ」で示される。
最初の例において、図８ａに示されるように、ＭＳＢから初めてＬＳＢに進んでシーケンスをサンプリングするスライドする矩形ウィンドウを考えられたい。すべてのＬＳＢを「オフ」にしＭＳＢを「オン」にするために光出力が１ＬＳＢ分だけ増大すると、つまり図４ｅに示される状態である場合、所与の反射鏡装置Ｍからの光出力における結果的な増大は単極の三角形であることが図８ａからわかる。
同様に、図８ｂに示される１ＬＳＢの減少の場合、つまり図４ｄに示される状態の場合には、光出力における結果的な減少も単極の三角形となる。
図８ｃは、１ＬＳＢの増大がすべてのＬＳＢを「オフ」にしＭＳＢ−１を「オン」にするときの、ＭＳＢ−１ビット遷移に対する同等な状態を示し、ＭＳＢは永久的に「オフ」となる。光出力における外乱は、これも、上方遷移に対する光出力における増大を与える単極の三角形である。
図８ｄは光出力における対応する単極の三角形の減少を示す１ＬＳＢの現象に対する対応する状態を示すため、図８ｄは対応状態を示している。
したがって、図８ａ〜８ｄから、所与のビット遷移に対し、光出力における結果的な外乱は単極の三角形であり、外乱の振幅および持続期間は連続フレームの各対間の最上位ビット変化遷移に比例して増大することがわかる。外乱ピーク振幅は最上位ビット変化の重みに等しく、外乱の持続期間は同じ上位ビットの場合ビット表示間隔の２倍であることもわかる。
図９ａ〜９ｄは、分割されたビットの部分サブフレームがこの発明に従うディスプレイシステムにおいて表示フレームの中心について対称的に位置づけられる際の、図８ａ〜８ｄのビットシーケンスでのビット分割の影響を示す。図９ａおよび９ｂは、ＭＳＢ分割の例において、図８ａおよび８ｂの単極性の外乱は、外乱ピーク振幅が半分にされかつ外乱サイクルの位相が上方遷移と下方遷移との間で反転している状態である双極性の外乱に変換されていることを示す。しかしながら、外乱の持続期間は図８ａのそれからは変化していない。
同様に、図９ｃおよび９ｄは、ＭＳＢ−１遷移の例において、図８ｃおよび８ｄの単極性の外乱は、上方遷移と下方遷移との間で位相反転を伴う、ピーク振幅が半分である単一サイクルの双極性外乱に変換されることを示す。ここでも外乱持続期間は変わらないままである。
ビット表示間隔を分割することによって外乱の振幅および外乱の持続期間の両方をさらに低減することが示され得る。一般的には、所与の最上位ビット変化の場合、外乱ピーク振幅は（ビット重み）／Ｎにより与えられ、外乱の持続期間は（２*ビット間隔）／Ｎにより与えられ、ここで、Ｎはビット分割因子である。原則的にはＮの奇数値が用いられ得るが、結果として生ずる部分サブフレームを分散することは付加的な問題を呈する。さらに、本質的なことではないが、実働化はＮを二進値の倍数に制限することによって単純化され得る。
外乱エネルギーを図８および図９の外乱波形下の領域として定義すると、図８および図９を生じさせるのに用いられるスライドするウィンドウ技術を適用することによって、最小エネルギーの場合ビットシーケンスは表示フレームの中心にどんな非分割ビットをも有さなければならず、表示フレームは分割されたＭＳＢ間隔で始まりそして終了するはずであることが示され得る。さらに、分割されたビットの有効部は表示サイクルの中心に向かって一様に減少しなければならない。最上非分割ビットを表示サイクルの中心に置くことによって、そのビットはより大きい外乱エネルギーを有する２番目の下位ビットを犠牲にしてあたかも分割されていたかのように振る舞う結果となることも示され得る。
外乱エネルギーの考慮は、表示される画像上に観測可能なビット遷移の輪郭化を生じさせるのは上の４または５の最上位ビット重みのみであることを示す。これは図１０において２の最大分割因子Ｎを有する単純なビット分割について示され、それに対し、ＬＳＢは、最も高いオーダの分割されていないビットが表示フレームの中心に位置される、残りのすべての分割されていないビット重みとして考慮されるだろう。
一般に、単一の反射鏡装置Ｍに対する隣接するフレーム間での光出力変化または２つの隣接する反射鏡装置間での光出力変化は０からピーク白色までの任意の値であり得る。明らかに、０照度または最大ピーク白色照度の変化の場合、輪郭化は生じないかまたはステップ状の明るさ変化により全体的にマスキングされるため問題とはならないしかしながら、ＭＳＢ変化を生じさせる単一のＬＳＢのステップ変化は、著しい動的輪郭化効果を有し得る。
実像におけるステップ状の明るさ変化のランダムなばらつきのため、理想的には表示サイクル内における個々のビットの間隔の割当ては隣接する時間フレーム間の照度レベルの変化により発生される「動的輪郭化」の量を最小限にするようダイナミックベースで実行されるべきであるが、これは必ずしも必要ではない。この動的割当ては、最上位ビット変化、変化ステップの大きさ、およびビット分割の許容可能な度合いといったような要素を考慮にいれる必要がある。
単一のＬＳＢの明るさにおけるステップ変化による輪郭化の影響は、減少する最上位ビット変化に伴って減少する、ということが図８および図９を参照して示された。しかしながら、「動的輪郭化」のうるささのレベルは、ビット変化の総数と、ビット分割の程度と、これらのビットが表示サイクル内でどのように分散されるかとによって強く影響され、これらのすべての要素は外乱の振幅および周波数の両方に影響する。
「動的輪郭化うるささ因子」をピーク外乱振幅と外乱持続期間との積として定義すると、絶対「動的輪郭化」外乱は最上位ビット重み変化の二乗として変化する。しかしながら、平均光出力の一部として表わされるため、輪郭化外乱は最上位ビット重み変化に比例してのみ変化する。したがって、「動的輪郭化」の影響を低減するためには、より高いオーダのビットのみが分割を要するべきである。
１ＬＳＢのステップよりも大きい光出力の変化の例では、「動的輪郭化」に対する変化のマスキング効果は増大するステップの大きさに伴って増大する。一般的に、少なくとも変化ステップの大きさまでのピーク輪郭化外乱振幅は、光出力におけるステップ変化によりマスキングされる。このマスキング効果は、ビット分割によりもたらされる「輪郭化うるささ因子」の低減によりさらに増大される。
上に説明したように、表示サイクル周期に等しいスライドするウィンドウの開口に対するピーク外乱振幅はビット分割因子Ｎにより除算されるビット重みに比例し、次いで、「動的輪郭化」の影響はこのレベルまたはそれより大きいレベルのステップ状の明るさ変化に対してマスキングされる。ビット分割因子が大きいほどピーク輪郭化外乱振幅は小さくなり、ゆえにそれをマスキングする光出力のステップ変化はより小さくなる。
例によって、図１１〜１３を考慮されたい。図１１は、ＭＳＢは４つの等しい部分サブフレームに分割され、他の分割されるビットは２つの等しい部分サブフレームに分割されている、１つの可能な動的ビット分割シーケンスを示す。表示サイクル内での部分サブフレームの位置は図１１の真理表に従って明るさレベルの変化に伴って動的に割当てられる。したがって、外乱は、ここでは、ピーク外乱振幅が図１０のピーク外乱振幅に対して２の因数により減じられる、４つに分割されるＭＳＢにより発生される外乱と等価になる。ＭＳＢ外乱エネルギーの多くは、図１０のＭＳＢビット遷移と比較すると、基本表示サイクル周波数から表示フレーム速度の第２次高調波に移動している。これは、基本周波数に残っている残りの外乱エネルギーの量に依って、２と４との間の外乱エネルギー低減因子を生じる。図１０については、ＭＳＢ−１遷移エネルギーは残存している。
図１２は、ＭＳＢは８つの等しい部分サブフレームに分割され、ＭＳＢ−１は４つの等しい部分サブフレームに分割され、残りの分割されるビットは２つの等しい部分サブフレームに分割される、さらなる可能な動的ビット分割シーケンスを示す。これらの部分サブフレームは次いで図１３の真理表に従って表示サイクル内で動的に位置づけられる。したがって外乱はここでは、ピーク外乱振幅が図１０のそれに対して４の因子で減じられる、８つに分割されたＭＳＢにより発生される外乱に等価になる。ＭＳＢ外乱エネルギーの多くは、図１０のＭＳＢビット遷移と比較すると、表示速度の第４の高周波に移動している。これは、残余の基本周波数の量に依って、図１０の単純なビット分割の４倍と１６倍との間の外乱エネルギー低減を生じる。ＭＳＢ−１外乱エネルギーは図１０の振幅の半分の振幅を有し、そのエネルギーの多くはここでは第２次高調波にある。したがって、ＭＳＢ−１遷移外乱エネルギーは、基本周波数での残りの外乱エネルギーの量に依って、図１０のそれの２から４少ない因子である。残りのビット重みの外乱エネルギーは図１０のそれらとは変わらないままである。
ＭＳＢ遷移基本周波成分は、１ＬＳＢより大きい明るさのステップ変化に対する外乱エネルギーの僅かな増加を犠牲にして動的サブフレーム割当てが何らかのさらなる最適化を有する、図１３に示される動的ビット分割スキームにより事実上除去され得る。
図１２および図１３において、ピーク外乱振幅は、３つのＬＳＢより大きいステップ変化に対するステップ振幅に等しい。これはより高いレベルのビット分割によってのみさらに低減されるかもしれないが、これはＤＭＤアレイ１１７にロードされなければならないデータの量における対応する増加を生じさせる。図１２および図１３のスキームは、全部で上の３つのＭＳＢのための１４のビット表示間隔にＬＳＢのための１＋Ｒの間隔を加えたものを要し、ここでＲは残りのＬＳＢの数である。
したがって図７を図１０ないし図１３と比較すると、部分サブフレームの分散は、図７に示される表示フリッカによって知覚される最小定常状態に対してか、または図１０ないし図１３に示されるビット遷移外乱による最小ビット遷移「動的輪郭化」に対して整えられ得ることがわかる。残念ながら、多くのビットパターン組合せの場合、最小フリッカと最小「動的輪郭化」とは必ずしも相伴うものではないが、最小「動的輪郭化」を与える一般的なビット重み分散はフリッカ動作における有用な改善も、最適ではないかもしれないが、与える。しかしながら、実験では、目に見えるフリッカは一般的に極端に低いレベルであるため、「動的輪郭化」アーチファクトの方がフリッカよりも一般的により好ましくないことが示される。
図１４、図１５および図１６を次に参照すると、これらの図はこの発明に従う修正されたアドレス指定スキームを実現するためのアドレス指定回路の例を示す。まず特定的に図１４を参照すると、表示されるべき画像の赤と緑と青の色成分を表わす３つの別個の映像信号の１つからなる映像入力信号が、同期する信号とともにＡＤ変換器（ＡＤＣ）ユニット１２９に与えられる。ＡＤＣユニット１２９の出力は、陰極線管上での表示のための映像信号に通常はあるガンマ補正信号を除去するためにガンマ補正ユニット１３１に与えられる。
ガンマ補正ユニット１３１の出力は、ワード直列映像入力をＤＭＤアレイ１１７をアドレス指定するのに好適な形式に変換するために、データフォーマット化ユニット１３３に与えられる。データフォーマット化ユニット１３３は２つのフレーム記憶装置１３５を交互にアドレス指定するよう構成され、そのうちの１つのみが図８に示されている。各フレーム記憶装置１３５は、ＤＭＤアレイ１１７の各装置Ｍのための映像データを記憶し、ＤＭＤアレイ１１７内の各装置Ｍにドライバ回路１１９を介してこのデータを供給するよう構成される。フレーム記憶装置１３５の形式はこの後より詳細に記載される。
この後より詳細に形式が記載されるシーケンサ１３７は、すべての反射鏡装置Ｍが照射ビームに対してそれらの次の必要な配向に偏向される前に図３に示される「休止」配向をとることができるようにするために、各ビットフレーム表示間隔の終わりでＤＭＤアレイ１１７の反射鏡装置にリセット信号を与えるよう構成される。一方のフレーム記憶装置１３５はＤＭＤアレイ１１７にデータを供給する一方で、他方のフレーム記憶装置１３５はデータフォーマット化ユニット１３３からフレッシュな映像データを受け取る。
次に特定的に図１５を見ると、シーケンサ１３７は、各ビットフィールドの表示時間長でプログラミングされるリードオンリメモリ（ＲＯＭ）１３９を含む。ＲＯＭ１３９は第２のプログラマブルカウンタ１４３の出力によりクロックされるプログラマブルカウンタ１４１によってアドレス指定され、カウンタ１４３はクロック１４５からのクロックパルスによってクロックされる。カウンタ１４３は、各フレーム時間内に生じるカウントの総数がＲＯＭ１３９から得られるプリセット値によって決定されるようプログラムされる。カウンタ１４３のカウントサイクルはしたがって現ビット重みに対する表示時間持続期間を規定し、カウンタ１４１は完全な表示サイクルをつくり上げる各ビット表示間隔を通ってサイクルする。カウンタ１４１の出力は、関連のフレーム記憶装置１３５からＤＭＤアレイ１１７に転送されるべき次のビット重みをさらに規定する。
各表示間隔の終わりで、カウンタ１４３は、ＤＭＤアレイ１１７をリセットし新しい情報を反射鏡装置Ｍに転送する出力信号を発生し、それ自体を次のビットフレーム表示時間でプリセットし、最後に、次のビット重みを選択するためにカウンタ１４１を増分する。
次に特定的に図１６を参照し、８ビットの映像入力信号を仮定すると、各フレーム記憶装置１３５は８つの面Ｐ１、Ｐ２．．．Ｐ８を含む。各面は入力映像信号の１つのビット重みに対応するＤＭＤアレイ１１７のためのデータを保持する。したがって、面Ｐ１はＭＳＢに対応し、面Ｐ２は次の最上位ビットに対応するというようになり、ＬＳＢに対応するＰ８まで続く。次のビット表示間隔中における表示に対する準備ができているＭＳＢアレイ１１７にデータの１つのビットの面を書込むために、シーケンサ１３７は各フレーム記憶装置１３５に適当な制御信号を与える。最終的な結果として、ＤＭＤアレイの各反射鏡装置Ｍは時間多重化態様でリセットされる。
図７、図１０、図１１、図１２および図１３に示されるような、この発明に従うビット表示スキームの実現は、シーケンサＲＯＭ１３９を好適にプログラミングすることと、新しいシーケンスに適合するようビット数を設定することとによって達成される。さらなる表示間隔間での入力ビット重みの分散は、出力バス幅を増大させるためにガンマ補正器内に一般的には組込まれる参照テーブルを修正することによって、ガンマ補正器１３１内で達成される。
これまで例によって説明されてきた特定のディスプレイ装置は３つの変形可能な反射鏡装置を含むディスプレイ装置に関連するものであるが、この発明は、液晶装置のような光変調器の他の形式を含む表示装置の他の形式に、および切換え可能な光源のアレイを組込むディスプレイ装置にも、等しく適用可能であることが理解される。
記載される特定の実施例においてはグレースケールは切換え可能な素子の時分割変調によってのみ達成されるが、この発明はグレースケールの一部が光源の二進変調により達成されるディスプレイシステムにも適用可能であることも理解される。このようなディスプレイシステムはたとえば本出願人の同時係属中の英国特許出願番号ＧＢ  ９２２３１１４．１に記載されており、それをここに引用により援用する。
例によってこれまで記載された特定のカラーディスプレイシステムは、変調器が並列処理する赤、青および緑の各色に１つが対応する３つの別個の光変調器１０５、１０７、１０９を組込むが、この発明は、制御される態様で光の色を変化させるために色相環または同様のデバイスを用いる順次カラーディスプレイシステムにも等しく適用可能であることがさらに理解される。このような順次カラー方式では、各色からの光が表示フレーム期間の３分の１だけ一時的に変位されるように、色は１つの光変調器から順次表示される。表示スクリーン１０１に到達する光の変調一時変位が、順次カラー投影により引き起こされる遅延に加わる。このタイプの先行技術のシステムにおいて観測される「動的輪郭化」影響は、並列カラー方式に観測されるそれと類似しているが、明るさアーチファクトに加えて色アーチファクトを伴う。上に記載されるアドレス指定スキームはこのようなアーチファクトを低減することがわかる。しかしながら、そのようなカラー順次方式で観測される場合のモーション効果は並列カラー方式で観測されるそれとは異なり、カラー順次方式により生ずるフレーム期間遅延の３分の１は移動する対象に色フリンジを導入する。最悪例の遅延は、ゆえに、ここでも半フレーム期間であり、これは先行技術の並列からー方式に見られるのと同じ影響を生ずる。したがって、たとえば、上述のアドレス指定システムを用いる、この発明に従うディスプレイシステムは、順次カラー方式においてこの問題を緩和するために用いられることができる。
【図１】
0003844013.tif 000002
【図２】
0003844013.tif 000003
【図３】
0003844013.tif 000004
【図４ａ】
0003844013.tif 000005
【図４ｂ】
0003844013.tif 000006
【図４ｃ】
0003844013.tif 000007
【図４ｄ】
0003844013.tif 000008
【図４ｅ】
0003844013.tif 000009
【図５】
0003844013.tif 000010
【図６】
0003844013.tif 000011
【図７】
0003844013.tif 000012
【図８ａ】
0003844013.tif 000013
【図８ｂ】
0003844013.tif 000014
【図８ｃ】
0003844013.tif 000015
【図８ｄ】
0003844013.tif 000016
【図９ａ】
0003844013.tif 000017
【図９ｂ】
0003844013.tif 000018
【図９ｃ】
0003844013.tif 000019
【図９ｄ】
0003844013.tif 000020
【図１０】
0003844013.tif 000021
【図１１】
0003844013.tif 000022
【図１２】
0003844013.tif 000023
【図１３】
0003844013.tif 000024
【図１４】
0003844013.tif 000025
【図１５】
0003844013.tif 000026
【図１６】
0003844013.tif 000027